(57)【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群と、
負のパワーを有する第６レンズ群と、
からなり、
広角端から望遠端へのズーミングに際して各群間隔が変化し、
前記第５群レンズ群が２枚以下のレンズ素子で構成され、物体側に凹面を向けた凸メニスカス形状のレンズ素子を少なくとも１枚有し、
下記の条件（４）を満足する、
１０．２  ＜  ｆＴ  ／  ｆＷ  ・・・（４）
ここで、
ｆＴ：望遠端における焦点距離、
ｆＷ：広角端における焦点距離、
である、
ズームレンズ系。
【請求項２】
広角端から望遠端へのズーミングに際して、
少なくとも前記第１レンズ群が光軸に沿って移動し、
望遠端における前記第１レンズ群と前記第２レンズ群との間隔は、広角端における前記第１レンズ群と前記第２レンズ群との間隔に比べて広い、
請求項１に記載のズームレンズ系。
【請求項３】
下記の条件（１）を満足し、
３．８  ＜  ｜β２Ｔ  ／  β２Ｗ｜  ＜    ７．０  ・・・（１）
ここで、
β２Ｔ：望遠端における第２レンズ群Ｇ２の横倍率、
β２Ｗ：広角端における第２レンズ群Ｇ２の横倍率、
である、
請求項１に記載のズームレンズ系。
【請求項４】
下記の条件（２）を満足し、
１．２  ＜  ｜β４Ｔ  ／  β４Ｗ｜  ＜    ５．０  ・・・（２）
ここで、
β４Ｔ：望遠端における第４レンズ群Ｇ４の横倍率、
β４Ｗ：広角端における第４レンズ群Ｇ４の横倍率、
である、
請求項１に記載のズームレンズ系。
【請求項５】
下記の条件（３）を満足し、
ＬＴ  ／  ｆＴ  ＜    １．０８  ・・・（３）
ここで、
ＬＴ：望遠端における光学全長、
ｆＴ：望遠端における焦点距離、
である、
請求項１に記載のズームレンズ系。
【請求項６】
前記第４レンズ群は、１枚のレンズ素子からなる、
請求項１に記載のズームレンズ系。
【請求項７】
前記第３レンズ群の全体あるいは一部が、像ぶれ補正時に光軸に対して垂直方向の成分を持つように移動する、
請求項１に記載のズームレンズ系。
【請求項８】
前記第３レンズ群に絞りを有する、
請求項１に記載のズームレンズ系。
【請求項９】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と、
を備え、
前記ズームレンズ系は、物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群と、
負のパワーを有する第６レンズ群と、
からなり、
広角端から望遠端へのズーミングに際して各群間隔が変化し、
前記第５群レンズ群が２枚以下のレンズ素子で構成され、物体側に凹面を向けた凸メニスカス形状のレンズ素子を少なくとも１枚有し、
下記の条件（４）を満足する、
１０．２  ＜  ｆＴ  ／  ｆＷ  ・・・（４）
ここで、
ｆＴ：望遠端における焦点距離、
ｆＷ：広角端における焦点距離、
である、
撮像装置。
【発明の詳細な説明】
【技術分野】
【０００１】
本開示は、小型で、かつズーム全域で良好な光学性能が得られるズームレンズ系、及びそのズームレンズ系を用いる撮像装置に関する。
【背景技術】
【０００２】
デジタルスチルカメラやデジタルビデオカメラ等の、光電変換を行う撮像素子を持つカメラにおいては、近年は特に、撮像素子一体型のコンパクトカメラにおいては撮像素子の大型化による高画質化が要求されている。例えば、物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群と、それに続く後群が配置された、６群構成を有するズームレンズ系が種々提案されている。【０００３】
特許文献１、及び特許文献２は、高変倍比を得られる６群構成であって、各群の間隔を変化させてズーミングを行うズームレンズ系を開示している。
【先行技術文献】
【特許文献】
【０００４】
【特許文献１】特開２０１２−１５５０８７号公報
【特許文献２】特開２０１６−１７３４３８号公報
【発明の概要】
【発明が解決しようとする課題】
【０００５】
本開示は、小型で、かつズーム全域で良好な光学性能が得られるズームレンズ、及びそのズームレンズを用いる撮像装置を目的とする。
【課題を解決するための手段】
【０００６】
本開示におけるズームレンズ系は、物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群と、パワーを有する第６レンズ群と、を備える。広角端から望遠端へのズーミングに際して各群間隔が変化し、第５レンズ群が２枚以下のレンズ素子で構成される。物体側に凹面を向けた凸メニスカス形状のレンズ素子を少なくとも１枚有し、下記の条件（４）を満足する、１０．２  ＜  ｆＴ  ／  ｆＷ  ・・・（４）  ここで、ｆＴ：望遠端における焦点距離、ｆＷ：広角端における焦点距離、である。
【発明の効果】
【０００７】
本開示によれば、小型で、かつズーム全域で良好な光学性能が得られるズームレンズ、及びそのズームレンズを用いる撮像装置を提供することができる。
【図面の簡単な説明】
【０００８】
【図１】実施の形態１（数値実施例１）に係る撮像光学系の無限遠合焦状態を示すレンズ配置図
【図２】数値実施例１に係る撮像光学系の無限遠合焦状態の縦収差図
【図３】数値実施例１に係る撮像光学系の望遠端における、像ぶれ補正を行っていない基本状態及び像ぶれ補正状態での横収差図
【図４】実施の形態２（数値実施例２）に係る撮像光学系の無限遠合焦状態を示すレンズ配置図
【図５】数値実施例２に係る撮像光学系の無限遠合焦状態の縦収差図
【図６】数値実施例２に係る撮像光学系の望遠端における、像ぶれ補正を行っていない基本状態及び像ぶれ補正状態での横収差図
【図７】実施の形態３（数値実施例３）に係る撮像光学系の無限遠合焦状態を示すレンズ配置図
【図８】数値実施例３に係る撮像光学系の無限遠合焦状態の縦収差図
【図９】数値実施例３に係る撮像光学系の望遠端における、像ぶれ補正を行っていない基本状態及び像ぶれ補正状態での横収差図
【図１０】実施の形態４（数値実施例４）に係る撮像光学系の無限遠合焦状態を示すレンズ配置図
【図１１】数値実施例４に係る撮像光学系の無限遠合焦状態の縦収差図
【図１２】数値実施例４に係る撮像光学系の望遠端における、像ぶれ補正を行っていない基本状態及び像ぶれ補正状態での横収差図
【図１３】実施の形態５（数値実施例５）に係る撮像光学系の無限遠合焦状態を示すレンズ配置図
【図１４】数値実施例５に係る撮像光学系の無限遠合焦状態の縦収差図
【図１５】数値実施例５に係る撮像光学系の望遠端における、像ぶれ補正を行っていない基本状態及び像ぶれ補正状態での横収差図
【図１６】実施の形態１に係るデジタルスチルカメラの概略構成図
【発明を実施するための形態】
【０００９】
以下、適宜図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるのを避け、当業者の理解を容易にするためである。
【００１０】
なお、出願人は、当業者が本開示を十分に理解するために添付図面及び以下の説明を提供するのであって、これらによって請求の範囲に記載の主題を限定することを意図するものではない。
【００１１】
（実施の形態１〜５）
図１、図４、図７、図１０、図１３は、各々実施の形態１〜５に係る撮像光学系のレンズ配置図であり、いずれも無限遠合焦状態にある撮像光学系を表している。
【００１２】
図１、図４、図７、図１０、図１３において、図中の（ａ）に示す部分は広角端（最短焦点距離状態：焦点距離ｆＷ）のレンズ構成、（ｂ）に示す部分は中間位置（中間焦点距離状態：焦点距離ｆＭ＝√（ｆＷ＊ｆＴ））のレンズ構成、（ｃ）に示す部分は望遠端（最長焦点距離状態：焦点距離ｆＴ）のレンズ構成をそれぞれ表している。（ａ）に示す部分、（ｂ）に示す部分、（ｃ）に示す部分において、縦横比は一致している。
【００１３】
また図１、図４、図７、図１０、図１３において、図中の（ａ）に示す部分と（ｂ）に示す部分との間に設けられた曲線の矢印は、上から順に、広角端（Ｗｉｄｅ）、中間位置（Ｍｉｄ）、望遠端（Ｔｅｌｅ）の各状態におけるレンズ群の位置を結んで得られる線である。広角端と中間位置との間、中間位置と望遠端との間は、単純に曲線で接続されているだけであり、実際の各レンズ群の動きとは異なる。
【００１４】
さらに図１、図４、図７、図１０、図１３において、レンズ群に付された矢印は、無限遠合焦状態から近接合焦状態へのフォーカシングを表す。なお、これら図１、図４、図７、図１０、図１３では、図中の（ａ）に示す部分における各レンズ群の位置の下部に各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００１５】
なお図１、図４、図７、図１０、図１３において、特定の面に付されたアスタリスク（＊）は、該面が非球面であることを示している。また図１、図４、図７、図１０、図１３において、各レンズ群の符号に付された記号（＋）及び記号（−）は、各レンズ群のパワーの符号に対応する。また図１、図４、図７、図１０、図１３において、最も右側に記載された直線は、像面Ｓ（撮像素子の物体側の面）の位置を表す。
【００１６】
（実施の形態１）
図１は、実施の形態１に係る撮像光学系を表している。
【００１７】
ズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、平行平板Ｐと、で構成される。
【００１８】
ズームレンズ系は、像面Ｓの位置に結像する。
【００１９】
第１レンズ群Ｇ１は、物体側から像側へと順に、負のパワーを有する第１レンズ素子Ｌ１、正のパワーを有する第２レンズ素子Ｌ２、正のパワーを有する第３レンズ素子Ｌ３で構成される。第１レンズ素子Ｌ１と第２レンズ素子Ｌ２は、接着剤等で接着される接合レンズである。
【００２０】
第２レンズ群Ｇ２は、物体側から像側へと順に、負のパワーを有する第４レンズ素子Ｌ４、負のパワーを有する第５レンズ素子Ｌ５、正のパワーを有する第６レンズ素子Ｌ６で構成される。
【００２１】
第３レンズ群Ｇ３は、物体側から像側へと順に、開口絞りＡ、正のパワーを有する第７レンズ素子Ｌ７、正のパワーを有する第８レンズ素子Ｌ８、負のパワーを有する第９レンズ素子Ｌ９、正のパワーを有する第１０レンズ素子Ｌ１０で構成される。第８レンズ素子Ｌ８と第９レンズ素子Ｌ９は、接着剤等で接着される接合レンズである。
【００２２】
第４レンズ群Ｇ４は、単レンズであり、負のパワーを有する第１１レンズ素子Ｌ１１で構成される。
【００２３】
第５レンズ群Ｇ５は、単レンズであり、正のパワーを有する第１２レンズ素子Ｌ１２で構成される。
【００２４】
第６レンズ群Ｇ６は、単レンズであり、負のパワーを有する第１３レンズ素子Ｌ１３で構成される。
【００２５】
各レンズ素子を説明する。
【００２６】
第１レンズ群Ｇ１におけるレンズ素子を説明する。第１レンズ素子Ｌ１は、物体側に凸面を有する凹メニスカスレンズである。第２レンズ素子Ｌ２は、物体側に凸面を有する凸メニスカスレンズである。第３レンズ素子Ｌ３は、物体側に凸面を有する凸メニスカスレンズである。
【００２７】
第２レンズ群Ｇ２におけるレンズ素子を説明する。第４レンズ素子Ｌ４は、物体側に凸面を有する凹メニスカスレンズであり、物体側及び像側に非球面形状を有する。第５レンズ素子Ｌ５は、両凹レンズである。第６レンズ素子Ｌ６は、両凸レンズである。
【００２８】
第３レンズ群Ｇ３におけるレンズ素子を説明する。第７レンズ素子Ｌ７は、物体側に凸面を有する凸メニスカスレンズであり、物体側及び像側に非球面形状を有する。第８レンズ素子Ｌ８は、両凸レンズである。第９レンズ素子Ｌ９は、両凹レンズである。第１０レンズ素子Ｌ１０は、両凸レンズであり、像側に非球面形状を有する。
【００２９】
第４レンズ群Ｇ４におけるレンズ素子を説明する。第１１レンズ素子Ｌ１１は、物体側に凸面を有する凹メニスカスレンズであり、物体側及び像側に非球面形状を有する。
【００３０】
第５レンズ群Ｇ５におけるレンズ素子を説明する。第１２レンズ素子Ｌ１２は、物体側に凹面を有する凸メニスカスレンズであり、物体側及び像側に非球面形状を有する。
【００３１】
第６レンズ群Ｇ６におけるレンズ素子を説明する。第１３レンズ素子Ｌ１３は、物体側に凹面を有する凹メニスカスレンズであり、物体側及び像側に非球面形状を有する。
【００３２】
実施の形態１に係るズームレンズ系において、撮像時の広角端から望遠端へのズーミングの際に、第１レンズ群Ｇ１、第３レンズ群Ｇ３、第４レンズ群Ｇ４は物体側へ移動し、第２レンズ群Ｇ２は像側に凸の軌跡を描いて移動し、第５レンズ群Ｇ５は像側に移動する。第６レンズ群Ｇ６は、撮像時の広角端から望遠端へのズーミングの際に、固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大し、第５レンズ群Ｇ５と第６レンズ群Ｇ６との間隔が減少するように、各レンズ群が光軸に沿って移動する。
【００３３】
実施の形態１に係るズームレンズ系は、無限遠物点合焦状態から近接物体合焦状態へのフォーカシングの際に、第４レンズ群Ｇ４が光軸に沿って像側へ移動する。
【００３４】
なお、第３レンズ群Ｇ３内の全てのレンズ素子（像ぶれ補正レンズ素子）は、像のぶれを光学的に補正するために光軸に対して垂直方向に移動する。この像ぶれ補正レンズ素子によって、ズームレンズ系は、全系の振動による像点移動を補正することができる。すなわち、ズームレンズ系は、手ぶれ、振動等による像のぶれを光学的に補正することができる。
【００３５】
（実施の形態２）
図４は、実施の形態１に係る撮像光学系を表している。
【００３６】
ズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、平行平板Ｐと、で構成される。
【００３７】
ズームレンズ系は、像面Ｓの位置に結像する。
【００３８】
第１レンズ群Ｇ１は、物体側から像側へと順に、負のパワーを有する第１レンズ素子Ｌ１、正のパワーを有する第２レンズ素子Ｌ２、正のパワーを有する第３レンズ素子Ｌ３で構成される。第１レンズ素子Ｌ１と第２レンズ素子Ｌ２は、接着剤等で接着される接合レンズである。
【００３９】
第２レンズ群Ｇ２は、物体側から像側へと順に、負のパワーを有する第４レンズ素子Ｌ４、負のパワーを有する第５レンズ素子Ｌ５、正のパワーを有する第６レンズ素子Ｌ６で構成される。
【００４０】
第３レンズ群Ｇ３は、物体側から像側へと順に、開口絞りＡ、正のパワーを有する第７レンズ素子Ｌ７、正のパワーを有する第８レンズ素子Ｌ８、負のパワーを有する第９レンズ素子Ｌ９、正のパワーを有する第１０レンズ素子Ｌ１０で構成される。第８レンズ素子Ｌ８と第９レンズ素子Ｌ９は、接着剤等で接着される接合レンズである。
【００４１】
第４レンズ群Ｇ４は、単レンズであり、負のパワーを有する第１１レンズ素子Ｌ１１で構成される。
【００４２】
第５レンズ群Ｇ５は、単レンズであり、正のパワーを有する第１２レンズ素子Ｌ１２で構成される。
【００４３】
第６レンズ群Ｇ６は、単レンズであり、負のパワーを有する第１３レンズ素子Ｌ１３で構成される。
【００４４】
各レンズ素子を説明する。
【００４５】
第１レンズ群Ｇ１におけるレンズ素子を説明する。第１レンズ素子Ｌ１は、物体側に凸面を有する凹メニスカスレンズである。第２レンズ素子Ｌ２は、両凸レンズである。第３レンズ素子Ｌ３は、物体側に凸面を有する凸メニスカスレンズである。
【００４６】
第２レンズ群Ｇ２におけるレンズ素子を説明する。第４レンズ素子Ｌ４は、物体側に凸面を有する凹メニスカスレンズであり、物体側及び像側に非球面形状を有する。第５レンズ素子Ｌ５は、両凹レンズであり、物体側及び像側に非球面形状を有する。第６レンズ素子Ｌ６は、両凸レンズである。
【００４７】
第３レンズ群Ｇ３におけるレンズ素子を説明する。第７レンズ素子Ｌ７は、物体側に凸面を有する凸メニスカスレンズであり、物体側及び像側に非球面形状を有する。第８レンズ素子Ｌ８は、両凸レンズである。第９レンズ素子Ｌ９は、両凹レンズである。第１０レンズ素子Ｌ１０は、両凸レンズであり、像側に非球面形状を有する。
【００４８】
第４レンズ群Ｇ４におけるレンズ素子を説明する。第１１レンズ素子Ｌ１１は、物体側に凸面を有する凹メニスカスレンズであり、物体側及び像側に非球面形状を有する。
【００４９】
第５レンズ群Ｇ５におけるレンズ素子を説明する。第１２レンズ素子Ｌ１２は、物体側に凹面を有する凸メニスカスレンズであり、物体側及び像側に非球面形状を有する。
【００５０】
第６レンズ群Ｇ６におけるレンズ素子を説明する。第１３レンズ素子Ｌ１３は、物体側に凹面を有する凹メニスカスレンズであり、物体側及び像側に非球面形状を有する。
【００５１】
実施の形態１に係るズームレンズ系において、撮像時の広角端から望遠端へのズーミングの際に、第１レンズ群Ｇ１、第３レンズ群Ｇ３、第４レンズ群Ｇ４は物体側へ移動し、第２レンズ群Ｇ２は像側に凸の軌跡を描いて移動し、第５レンズ群Ｇ５は像側に移動する。第６レンズ群Ｇ６は、撮像時の広角端から望遠端へのズーミングの際に、固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大し、第５レンズ群Ｇ５と第６レンズ群Ｇ６との間隔が減少するように、各レンズ群が光軸に沿って移動する。
【００５２】
実施の形態２に係るズームレンズ系は、無限遠物点合焦状態から近接物体合焦状態へのフォーカシングの際に、第４レンズ群Ｇ４が光軸に沿って像側へ移動する。
【００５３】
なお、第３レンズ群Ｇ３内の全てのレンズ素子（像ぶれ補正レンズ素子）は、像のぶれを光学的に補正するために光軸に対して垂直方向に移動する。この像ぶれ補正レンズ素子によって、ズームレンズ系は、全系の振動による像点移動を補正することができる。すなわち、ズームレンズ系は、手ぶれ、振動等による像のぶれを光学的に補正することができる。
【００５４】
（実施の形態３）
図７は、実施の形態３に係る撮像光学系を表している。
【００５５】
ズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、平行平板Ｐと、で構成される。
【００５６】
ズームレンズ系は、像面Ｓの位置に結像する。
【００５７】
第１レンズ群Ｇ１は、物体側から像側へと順に、負のパワーを有する第１レンズ素子Ｌ１、正のパワーを有する第２レンズ素子Ｌ２、正のパワーを有する第３レンズ素子Ｌ３で構成される。第１レンズ素子Ｌ１と第２レンズ素子Ｌ２は、接着剤等で接着される接合レンズである。
【００５８】
第２レンズ群Ｇ２は、物体側から像側へと順に、負のパワーを有する第４レンズ素子Ｌ４、負のパワーを有する第５レンズ素子Ｌ５、正のパワーを有する第６レンズ素子Ｌ６で構成される。
【００５９】
第３レンズ群Ｇ３は、物体側から像側へと順に、開口絞りＡ、正のパワーを有する第７レンズ素子Ｌ７、正のパワーを有する第８レンズ素子Ｌ８、負のパワーを有する第９レンズ素子Ｌ９、正のパワーを有する第１０レンズ素子Ｌ１０で構成される。第８レンズ素子Ｌ８と第９レンズ素子Ｌ９は、接着剤等で接着される接合レンズである。
【００６０】
第４レンズ群Ｇ４は、単レンズであり、負のパワーを有する第１１レンズ素子Ｌ１１で構成される。
【００６１】
第５レンズ群Ｇ５は、単レンズであり、正のパワーを有する第１２レンズ素子Ｌ１２で構成される。
【００６２】
第６レンズ群Ｇ６は、単レンズであり、負のパワーを有する第１３レンズ素子Ｌ１３で構成される。
【００６３】
各レンズ素子を説明する。
【００６４】
第１レンズ群Ｇ１におけるレンズ素子を説明する。第１レンズ素子Ｌ１は、物体側に凸面を有する凹メニスカスレンズである。第２レンズ素子Ｌ２は、両凸レンズである。第３レンズ素子Ｌ３は、物体側に凸面を有する凸メニスカスレンズである。
【００６５】
第２レンズ群Ｇ２におけるレンズ素子を説明する。第４レンズ素子Ｌ４は、物体側に凸面を有する凹メニスカスレンズであり、物体側及び像側に非球面形状を有する。第５レンズ素子Ｌ５は、両凹レンズである。第６レンズ素子Ｌ６は、両凸レンズである。
【００６６】
第３レンズ群Ｇ３におけるレンズ素子を説明する。第７レンズ素子Ｌ７は、物体側に凸面を有する凸メニスカスレンズであり、物体側及び像側に非球面形状を有する。第８レンズ素子Ｌ８は、両凸レンズである。第９レンズ素子Ｌ９は、両凹レンズである。第１０レンズ素子Ｌ１０は、両凸レンズであり、物体側及び像側に非球面形状を有する。
【００６７】
第４レンズ群Ｇ４におけるレンズ素子を説明する。第１１レンズ素子Ｌ１１は、物体側に凸面を有する凹メニスカスレンズであり、物体側及び像側に非球面形状を有する。
【００６８】
第５レンズ群Ｇ５におけるレンズ素子を説明する。第１２レンズ素子Ｌ１２は、物体側に凹面を有する凸メニスカスレンズであり、物体側及び像側に非球面形状を有する。
【００６９】
第６レンズ群Ｇ６におけるレンズ素子を説明する。第１３レンズ素子Ｌ１３は、物体側に凹面を有する凹メニスカスレンズであり、物体側及び像側に非球面形状を有する。
【００７０】
実施の形態１に係るズームレンズ系において、撮像時の広角端から望遠端へのズーミングの際に、第１レンズ群Ｇ１、第３レンズ群Ｇ３、第４レンズ群Ｇ４は物体側へ移動し、第２レンズ群Ｇ２は像側に凸の軌跡を描いて移動し、第５レンズ群Ｇ５は像側に移動する。第６レンズ群Ｇ６は、撮像時の広角端から望遠端へのズーミングの際に、固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大し、第５レンズ群Ｇ５と第６レンズ群Ｇ６との間隔が減少するように、各レンズ群が光軸に沿って移動する。
【００７１】
実施の形態３に係るズームレンズ系は、無限遠物点合焦状態から近接物体合焦状態へのフォーカシングの際に、第４レンズ群Ｇ４が光軸に沿って像側へ移動する。
【００７２】
なお、第３レンズ群Ｇ３内の全てのレンズ素子（像ぶれ補正レンズ素子）は、像のぶれを光学的に補正するために光軸に対して垂直方向に移動する。この像ぶれ補正レンズ素子によって、ズームレンズ系は、全系の振動による像点移動を補正することができる。すなわち、ズームレンズ系は、手ぶれ、振動等による像のぶれを光学的に補正することができる。
【００７３】
（実施の形態４）
図１０は、実施の形態４に係る撮像光学系を表している。
【００７４】
ズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、平行平板Ｐと、で構成される。
【００７５】
ズームレンズ系は、像面Ｓの位置に結像する。
【００７６】
第１レンズ群Ｇ１は、物体側から像側へと順に、負のパワーを有する第１レンズ素子Ｌ１、正のパワーを有する第２レンズ素子Ｌ２、正のパワーを有する第３レンズ素子Ｌ３で構成される。第１レンズ素子Ｌ１と第２レンズ素子Ｌ２は、接着剤等で接着される接合レンズである。
【００７７】
第２レンズ群Ｇ２は、物体側から像側へと順に、負のパワーを有する第４レンズ素子Ｌ４、負のパワーを有する第５レンズ素子Ｌ５、正のパワーを有する第６レンズ素子Ｌ６で構成される。
【００７８】
第３レンズ群Ｇ３は、物体側から像側へと順に、開口絞りＡ、正のパワーを有する第７レンズ素子Ｌ７、正のパワーを有する第８レンズ素子Ｌ８、負のパワーを有する第９レンズ素子Ｌ９、正のパワーを有する第１０レンズ素子Ｌ１０で構成される。第８レンズ素子Ｌ８と第９レンズ素子Ｌ９は、接着剤等で接着される接合レンズである。
【００７９】
第４レンズ群Ｇ４は、単レンズであり、負のパワーを有する第１１レンズ素子Ｌ１１で構成される。
【００８０】
第５レンズ群Ｇ５は、単レンズであり、正のパワーを有する第１２レンズ素子Ｌ１２で構成される。
【００８１】
第６レンズ群Ｇ６は、単レンズであり、負のパワーを有する第１３レンズ素子Ｌ１３で構成される。
【００８２】
各レンズ素子を説明する。
【００８３】
第１レンズ群Ｇ１におけるレンズ素子を説明する。第１レンズ素子Ｌ１は、物体側に凸面を有する凹メニスカスレンズである。第２レンズ素子Ｌ２は、物体側に凸面を有する凹メニスカスレンズである。第３レンズ素子Ｌ３は、物体側に凸面を有する凸メニスカスレンズである。
【００８４】
第２レンズ群Ｇ２におけるレンズ素子を説明する。第４レンズ素子Ｌ４は、両凹レンズであり、物体側及び像側に非球面形状を有する。第５レンズ素子Ｌ５は、両凹レンズである。第６レンズ素子Ｌ６は、両凸レンズである。
【００８５】
第３レンズ群Ｇ３におけるレンズ素子を説明する。第７レンズ素子Ｌ７は、物体側に凸面を有する凸メニスカスレンズであり、物体側及び像側に非球面形状を有する。第８レンズ素子Ｌ８は、両凸レンズである。第９レンズ素子Ｌ９は、物体側に凹面を有する凹メニスカスレンズである。第１０レンズ素子Ｌ１０は、物体側に凹面を有する凸メニスカスレンズであり、物体側及び像側に非球面形状を有する。
【００８６】
第４レンズ群Ｇ４におけるレンズ素子を説明する。第１１レンズ素子Ｌ１１は、物体側に凸面を有する凹メニスカスレンズであり、物体側及び像側に非球面形状を有する。
【００８７】
第５レンズ群Ｇ５におけるレンズ素子を説明する。第１２レンズ素子Ｌ１２は、物体側に凹面を有する凸メニスカスレンズであり、物体側及び像側に非球面形状を有する。
【００８８】
第６レンズ群Ｇ６におけるレンズ素子を説明する。第１３レンズ素子Ｌ１３は、物体側に凹面を有する凹メニスカスレンズであり、物体側及び像側に非球面形状を有する。
【００８９】
実施の形態１に係るズームレンズ系において、撮像時の広角端から望遠端へのズーミングの際に、第１レンズ群Ｇ１、第３レンズ群Ｇ３、第４レンズ群Ｇ４は物体側へ移動し、第２レンズ群Ｇ２は像側に凸の軌跡を描いて移動し、第５レンズ群Ｇ５は像側に移動する。第６レンズ群Ｇ６は、撮像時の広角端から望遠端へのズーミングの際に、固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大し、第５レンズ群Ｇ５と第６レンズ群Ｇ６との間隔が減少するように、各レンズ群が光軸に沿って移動する。
【００９０】
実施の形態４に係るズームレンズ系は、無限遠物点合焦状態から近接物体合焦状態へのフォーカシングの際に、第４レンズ群Ｇ４が光軸に沿って像側へ移動する。
【００９１】
なお、第３レンズ群Ｇ３内の全てのレンズ素子（像ぶれ補正レンズ素子）は、像のぶれを光学的に補正するために光軸に対して垂直方向に移動する。この像ぶれ補正レンズ素子によって、ズームレンズ系は、全系の振動による像点移動を補正することができる。すなわち、ズームレンズ系は、手ぶれ、振動等による像のぶれを光学的に補正することができる。
【００９２】
（実施の形態５）
図１４は、実施の形態５に係る撮像光学系を表している。
【００９３】
ズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、平行平板Ｐと、で構成される。
【００９４】
ズームレンズ系は、像面Ｓの位置に結像する。
【００９５】
第１レンズ群Ｇ１は、物体側から像側へと順に、負のパワーを有する第１レンズ素子Ｌ１、正のパワーを有する第２レンズ素子Ｌ２、正のパワーを有する第３レンズ素子Ｌ３で構成される。第１レンズ素子Ｌ１と第２レンズ素子Ｌ２は、接着剤等で接着される接合レンズである。
【００９６】
第２レンズ群Ｇ２は、物体側から像側へと順に、負のパワーを有する第４レンズ素子Ｌ４、負のパワーを有する第５レンズ素子Ｌ５、正のパワーを有する第６レンズ素子Ｌ６で構成される。
【００９７】
第３レンズ群Ｇ３は、物体側から像側へと順に、開口絞りＡ、正のパワーを有する第７レンズ素子Ｌ７、正のパワーを有する第８レンズ素子Ｌ８、負のパワーを有する第９レンズ素子Ｌ９、正のパワーを有する第１０レンズ素子Ｌ１０で構成される。第８レンズ素子Ｌ８と第９レンズ素子Ｌ９は、接着剤等で接着される接合レンズである。
【００９８】
第４レンズ群Ｇ４は、単レンズであり、負のパワーを有する第１１レンズ素子Ｌ１１で構成される。
【００９９】
第５レンズ群Ｇ５は、物体側から像側へと順に、正のパワーを有する第１２レンズ素子Ｌ１２、正のパワーを有する第１３レンズ素子Ｌ１３で構成される。
【０１００】
第６レンズ群Ｇ６は、単レンズであり、負のパワーを有する第１４レンズ素子Ｌ１４で構成される。
【０１０１】
各レンズ素子を説明する。
【０１０２】
第１レンズ群Ｇ１におけるレンズ素子を説明する。第１レンズ素子Ｌ１は、物体側に凸面を有する凹メニスカスレンズである。第２レンズ素子Ｌ２は、両凸レンズである。第３レンズ素子Ｌ３は、物体側に凸面を有する凸メニスカスレンズである。
【０１０３】
第２レンズ群Ｇ２におけるレンズ素子を説明する。第４レンズ素子Ｌ４は、両凹レンズであり、物体側及び像側に非球面形状を有する。第５レンズ素子Ｌ５は、両凹レンズであり、物体側及び像側に非球面形状を有する。第６レンズ素子Ｌ６は、両凸レンズである。
【０１０４】
第３レンズ群Ｇ３におけるレンズ素子を説明する。第７レンズ素子Ｌ７は、物体側に凸面を有する凸メニスカスレンズであり、物体側及び像側に非球面形状を有する。第８レンズ素子Ｌ８は、両凸レンズである。第９レンズ素子Ｌ９は、両凹レンズである。第１０レンズ素子Ｌ１０は、両凸レンズであり、物体側及び像側に非球面形状を有する。
【０１０５】
第４レンズ群Ｇ４におけるレンズ素子を説明する。第１１レンズ素子Ｌ１１は、物体側に凸面を有する凹メニスカスレンズであり、物体側及び像側に非球面形状を有する。
【０１０６】
第５レンズ群Ｇ５におけるレンズ素子を説明する。第１２レンズ素子Ｌ１２は、物体側に凹面を有する凸メニスカスレンズであり、物体側及び像側に非球面形状を有する。第１３レンズ素子Ｌ１３は、物体側に凹面を有する凸メニスカスレンズであり、物体側及び像側に非球面形状を有する。
【０１０７】
第６レンズ群Ｇ６におけるレンズ素子を説明する。第１４レンズ素子Ｌ１４は、物体側に凹面を有する凹メニスカスレンズであり、物体側及び像側に非球面形状を有する。
【０１０８】
実施の形態１に係るズームレンズ系において、撮像時の広角端から望遠端へのズーミングの際に、第１レンズ群Ｇ１、第３レンズ群Ｇ３、第４レンズ群Ｇ４は物体側へ移動し、第２レンズ群Ｇ２は像側に凸の軌跡を描いて移動し、第５レンズ群Ｇ５は像側に移動する。第６レンズ群Ｇ６は、撮像時の広角端から望遠端へのズーミングの際に、固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大し、第５レンズ群Ｇ５と第６レンズ群Ｇ６との間隔が減少するように、各レンズ群が光軸に沿って移動する。
【０１０９】
実施の形態５に係るズームレンズ系は、無限遠物点合焦状態から近接物体合焦状態へのフォーカシングの際に、第４レンズ群Ｇ４が光軸に沿って像側へ移動する。
【０１１０】
なお、第３レンズ群Ｇ３内の全てのレンズ素子（像ぶれ補正レンズ素子）は、像のぶれを光学的に補正するために光軸に対して垂直方向に移動する。この像ぶれ補正レンズ素子によって、ズームレンズ系は、全系の振動による像点移動を補正することができる。すなわち、ズームレンズ系は、手ぶれ、振動等による像のぶれを光学的に補正することができる。
【０１１１】
（他の実施の形態）
以上のように、本出願において開示する技術の例示として、実施の形態１から５を説明した。しかしながら、本開示における技術は、これに限定されず、適宜、変更、置き換え、付加、省略などを行った実施の形態にも適用可能である。
【０１１２】
レンズ群の数や、レンズ郡内のレンズ素子の数は、実質的な数であり、実質的にパワーを有しないレンズを追加しても良い。
【０１１３】
前像ぶれ補正レンズ素子として、第３レンズ群Ｇ３の全てのレンズ素子としたが、第３レンズ群Ｇ３の一部のレンズ素子であっても良い。
【０１１４】
像ぶれ補正レンズ素子を光軸と垂直方向に移動させて像ぶれ補正を行っているが、移動方式は垂直方向の成分を持つように移動させれば、画像のぶれを補正することが可能である。例えば、鏡筒構造の複雑化を許容すれば、光軸上に回転中心を持つように像ぶれ補正レンズ素子を回動させて像ぶれ補正を行っても良い。
【０１１５】
第３レンズ群Ｇ３に絞りを有する例として、第３レンズ群の最も物体側に絞りを有する形態を示したが、絞りは第３レンズ群の最も像側に有しても良い。絞りは第３レンズ群のいずれか２つのレンズ素子の間に有しても良い。絞りはズーミングの際に、第３レンズ群と一体となって移動する位置に有すれば良い。
【０１１６】
（条件及び効果等）
以下、例えば実施の形態１から５に係る撮像光学系が満足することが可能な条件を説明する。なお、実施の形態１から５に係る撮像光学系に対して、複数の可能な条件が規定されるが、これら複数の条件すべてを満足する撮像光学系の構成が最も効果的である。しかしながら、個別の条件を満足することにより、それぞれ対応する効果を奏する撮像光学系を得ることも可能である。
【０１１７】
実施の形態１から５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、パワーを有する第６レンズ群と、からなる。広角端から望遠端へのズーミングに際して各群間隔が変化する。第５レンズ群Ｇ５が２枚以下のレンズ素子で構成され、物体側に凹面を向けた凸メニスカス形状のレンズ素子を少なくとも１枚有する。
【０１１８】
これにより、第５レンズ群Ｇ５の枚数を２枚以下のレンズ素子に抑えつつ、広角端から望遠端へのズーミングに伴う収差変動、特に歪曲収差の変動を抑制できる。そのため、小型で、ズーム全域で良好な光学性能が得られるズームレンズ系を実現できる。
【０１１９】
また、例えばズームレンズ系は、以下の条件（１）を満足することが望ましい。
【０１２０】
３．８  ＜  ｜β２Ｔ  ／  β２Ｗ｜  ＜    ７．０  ・・・（１）
ここで、
β２Ｔ：望遠端における第２レンズ群Ｇ２の横倍率、
β２Ｗ：広角端における第２レンズ群Ｇ２の横倍率、
である。
【０１２１】
条件（１）は、望遠端における第２レンズ群Ｇ２の横倍率と広角端における第２レンズ群Ｇ２の横倍率の比を規定するための条件である。条件（１）の下限を下回ると、広角端から望遠端へのズーミングに際して、第２レンズ群Ｇ２の移動量が大きくなりすぎるため、コンパクトなレンズ鏡筒や撮像装置を提供することが困難になる。また、条件（１）の上限を上回ると、望遠端における第２レンズ群Ｇ２の横倍率が大きくなり過ぎるため、諸収差、特に像面湾曲の補正が困難となる。
【０１２２】
好ましくは、以下の条件（１ａ）、（１ｂ）のいずれか一方、または両方を満足することにより、上記の効果を更に奏功させることができる。
【０１２３】
４．０  ＜  ｜β２Ｔ  ／  β２Ｗ｜    ・・・（１ａ）
｜β２Ｔ  ／  β２Ｗ｜  ＜    ６．０  ・・・（１ｂ）
【０１２４】
より好ましくは、以下の条件（１ｃ）、条件（１ｄ）のいずれか一方、または両方を満足することにより、前述の効果をさらに奏功させることができる。
【０１２５】
４．２  ＜  ｜β２Ｔ  ／  β２Ｗ｜    ・・・（１ｃ）
｜β２Ｔ  ／  β２Ｗ｜  ＜    ５．０  ・・・（１ｄ）
【０１２６】
また、例えばズームレンズ系は、以下の条件（２）を満足することが望ましい。
【０１２７】
１．２  ＜  ｜β４Ｔ  ／  β４Ｗ｜  ＜    ４．０  ・・・（２）
ここで、
β４Ｔ：望遠端における第４レンズ群Ｇ４の横倍率、
β４Ｗ：広角端における第４レンズ群Ｇ４の横倍率、
である。
【０１２８】
条件（２）は、望遠端における第４レンズ群Ｇ４の横倍率と広角端における第４レンズ群Ｇ４の横倍率の比を規定するための条件である。条件（２）の下限を下回ると、広角端から望遠端へのズーミングに際して、第４レンズ群Ｇ４の移動量が大きくなりすぎるため、コンパクトなレンズ鏡筒や撮像装置を提供することが困難になる。また、条件（２）の上限を上回ると、望遠端における第４レンズ群Ｇ４の横倍率が大きくなり過ぎるため、諸収差、特に像面湾曲の補正が困難となる。
【０１２９】
好ましくは、以下の条件（２ａ）、（２ｂ）のいずれか一方、または両方を満足することにより、上記の効果を更に奏功させることができる。
【０１３０】
１．２５  ＜  ｜β４Ｔ  ／  β４Ｗ｜  ・・・（２ａ）
｜β４Ｔ  ／  β４Ｗ｜  ＜    ３．０  ・・・（２ｂ）
【０１３１】
より好ましくは、以下の条件（２ｃ）、条件（２ｄ）のいずれか一方、または両方を満足することにより、前述の効果をさらに奏功させることができる。
【０１３２】
１．３０  ＜  ｜β４Ｔ  ／  β４Ｗ｜  ・・・（２ｃ）
｜β４Ｔ  ／  β４Ｗ｜  ＜    ２．０  ・・・（２ｄ）
【０１３３】
また、例えばズームレンズ系は、以下の条件（３）を満足することが望ましい。
【０１３４】
ＬＴ  ／  ｆＴ  ＜    １．０８  ・・・（３）
ここで、
ＬＴ：望遠端における光学全長、
ｆＴ：望遠端における焦点距離、
である。
【０１３５】
条件（３）は望遠端における光学全長と焦点距離との比を規定するための条件である。条件（３）の上限を上回ると、望遠端の焦点距離に対する光学全長が大きくなりすぎることから、コンパクトなレンズ鏡筒や撮像装置を提供することが困難となる。
【０１３６】
好ましくは、以下の条件（３ａ）を満足することにより、上記の効果を更に奏功させることができる。
【０１３７】
ＬＴ  ／  ｆＴ  ＜    １．０４  ・・・（３ａ）
【０１３８】
より好ましくは、以下の条件（３ｂ）を満足することにより、前述の効果をさらに奏功させることができる。
【０１３９】
ＬＴ  ／  ｆＴ  ＜    １．００  ・・・（３ｂ）
【０１４０】
また、例えばズームレンズ系は、以下の条件（４）を満足することが望ましい。
【０１４１】
１０．２  ＜  ｆＴ  ／  ｆＷ  ・・・（４）
ここで、
ｆＴ：望遠端における焦点距離、
ｆＷ：広角端における焦点距離、
である。
【０１４２】
条件（４）は、望遠端における焦点距離と、広角端における焦点距離の比を規定するための条件である。条件（４）の下限を上回ると、ズーム倍率が小さくなり、高倍率なズームレンズを提供することができなくなる。
【０１４３】
好ましくは、以下の条件（４ａ）を満足することにより、上記の効果を更に奏功させることができる。
【０１４４】
１１．０  ＜  ｆＴ  ／  ｆＷ  ・・・（４ａ）
【０１４５】
より好ましくは、以下の条件（４ｂ）を満足することにより、前述の効果をさらに奏功させることができる。
【０１４６】
１２．５  ＜  ｆＴ  ／  ｆＷ  ・・・（４ｂ）
【０１４７】
また、例えばズームレンズ系は、第４レンズ群Ｇ４が１枚のレンズ素子で構成されていることが望ましい。
【０１４８】
これにより、必要なレンズ素子の数が減ることにより、小型化とコスト低減も図ることが出来る。また、重量を低減できることで高速なフォーカシングが可能となる。
【０１４９】
また、例えばズームレンズ系は、第３レンズ群Ｇ３の全体あるいは一部が、像ぶれ補正時に光軸に対して垂直方向の成分を持つように移動するのが望ましい。
【０１５０】
これにより、レンズ径を小さくでき、像ぶれ補正レンズ群の小型化と軽量化を図ることができる。したがって、簡略な駆動機構で像ぶれ補正レンズ群を駆動することができる。特に、像ぶれ補正レンズ群が１枚のレンズ素子のみから構成される場合、像ぶれ補正レンズ群の駆動機構を一層簡略化することができる。
【０１５１】
また、例えばズームレンズ系は、第３レンズ群Ｇ３内に絞りＡを有するのが望ましい。
【０１５２】
これにより、鏡筒構成を簡略化することができ、レンズ鏡筒の小型化を図ることが出来る。
【０１５３】
（実施の形態１を適用した撮像装置の概略構成）
図１６は、本実施の形態１に係るズームレンズ系を適用したデジタルカメラ５０の概略構成図である。なお、本実施の形態２から５に係るズームレンズを適用することも可能である。
【０１５４】
デジタルカメラ５０は、筐体４０と、撮像素子２０を含むズームレンズ系１０と、モニタ３０と、で構成されている。
【０１５５】
撮像素子２０は、ズームレンズ系１０の像面Ｓの位置に配置されている。
【０１５６】
ズームレンズ系１０には、実施の形態１と同様に、ズーミングの際に第１レンズ群Ｇ１から第６レンズ群Ｇ６までの全てのレンズ群が光軸に沿って移動するように、アクチュエータやレンズ枠が構成されている。
【０１５７】
なお、以上説明した実施の形態１に係るズームレンズ系をデジタルカメラに適用した例を示したが、スマートフォンやレンズ交換式カメラ等に適用することも可能である。
【０１５８】
（数値実施例）
以下、実施の形態１から６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、νｄはｄ線に対するアッベ数である。また、各数値実施例において、＊印を付した面は非球面であり、非球面形状は次式で定義している。
【０１５９】
【数１】
0006664068.tif 000002
【０１６０】
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１６１】
図２、図５、図８、図１１、図１４は、各々実施の形態１から５に係る撮像光学系の無限遠合焦状態の縦収差図である。
【０１６２】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１６３】
図３、図６、図９、図１２、図１５は、各々実施の形態１から５に係る撮像光学系の望遠端における横収差図である。
【０１６４】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、なお各横収差図において、メリディオナル平面を、第１レンズ群Ｇ１の第３レンズ群Ｇ３（実施の形態１から５）の光軸とを含む平面としている。
【０１６５】
なお、各実施例の撮像光学系について、望遠端における、像ぶれ補正状態での像ぶれ補正レンズ群の光軸と垂直な方向への移動量は、以下に示すとおりである。
【０１６６】
数値実施例１    ０．２０１ｍｍ
数値実施例２    ０．１９３ｍｍ
数値実施例３    ０．２２１ｍｍ
数値実施例４    ０．２２１ｍｍ
数値実施例５    ０．１９４ｍｍ
【０１６７】
撮影距離が∞で望遠端において、撮像光学系が０．４度傾いた場合の像偏心量は、像ぶれ補正レンズ群が光軸と垂直な方向に上記の各値だけ平行移動するときの像偏心量に等しい。
【０１６８】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、撮像光学系の像ぶれ補正角が同じ場合には、撮像光学系全体の焦点距離が短くなるにつれて、像ぶれ補正に必要な平行移動量が減少する。したがって、いずれのズーム位置であっても、０．４°程度の像ぶれ補正角に対して、結像特性を低下させることなく充分な像ぶれ補正を行うことが可能である。
【０１６９】
（数値実施例１）
数値実施例１の撮像光学系は、図１に示した実施の形態１に対応する。数値実施例１の撮像光学系の面データを表１に、非球面データを表２に、無限遠合焦状態での各種データを表３Ａ〜表３Ｄに示す。
【０１７０】
（表１：面データ）
面番号 r d nd vd 
物面 ∞ 
1 65.08220 0.75000 1.90055 29.3 
2 33.24520 3.32000 1.60051 62.5 
3 447.82500 0.15000 
4 35.22300 2.67000 1.60719 61.8 
5 194.55250 可変 
6* 20715.61420 0.70000 1.85008 40.9 
7* 9.70360 4.52670 
8 -17.68630 0.50000 1.78527 45.1 
9 65.68980 0.15000 
10 29.34160 1.74000 1.94595 18.0 
11 -68.61040 可変 
12(絞り) ∞ 1.00000 
13* 12.69490 1.61000 1.85343 40.5 
14* 29.59820 0.25000 
15 8.14880 3.03000 1.49700 81.6 
16 -34.16460 0.50000 1.80760 33.4 
17 9.75510 0.76670 
18 15.66100 1.71000 1.56015 67.2 
19* -21.15820 可変 
20* 25.63760 0.60000 1.77010 49.8 
21* 10.64500 可変 
22* -71.48740 2.64000 1.53380 55.6 
23* -11.99110 可変 
24* -10.43400 1.75000 1.53380 55.6 
25* -14.85310 0.15000 
26 ∞ 0.90000 1.51680 64.2 
27 ∞ 2.18000 
28 ∞ BF 
像面 ∞ 
【０１７１】
（表２：非球面データ）
第6面
K= 0.00000E+00, A4=-6.60517E-06, A6= 5.65030E-07, A8=-6.07822E-09 
A10= 1.75035E-11 
第7面
K=-6.33768E-01, A4= 6.54945E-05, A6= 1.60098E-07, A8= 4.87956E-08 
A10=-4.36918E-10 
第13面
K= 0.00000E+00, A4= 1.62681E-04, A6= 2.53177E-06, A8=-3.34183E-08 
A10= 8.58050E-10 
第14面
K= 0.00000E+00, A4= 2.05939E-04, A6= 2.03376E-06, A8=-6.76225E-08 
A10= 6.36899E-10 
第19面
K= 0.00000E+00, A4= 2.98056E-04, A6= 4.78127E-06, A8= 1.02203E-07 
A10= 4.28923E-09 
第20面
K= 0.00000E+00, A4=-6.16064E-04, A6= 3.69186E-05, A8=-8.17055E-07 
A10= 2.21718E-09 
第21面
K= 0.00000E+00, A4=-6.86454E-04, A6= 4.13899E-05, A8=-1.00486E-06 
A10= 5.35241E-09 
第22面
K= 0.00000E+00, A4=-1.66930E-04, A6=-3.25429E-06, A8= 1.96793E-08 
A10= 2.61562E-10 
第23面
K=-1.39681E+00, A4= 4.12808E-05, A6=-3.60205E-06, A8= 1.53315E-08 
A10= 2.56461E-10 
第24面
K= 0.00000E+00, A4= 9.42408E-04, A6=-9.58525E-06, A8= 6.60944E-08 
A10= 1.03031E-10 
第25面
K= 0.00000E+00, A4= 4.27163E-04, A6=-5.17137E-06, A8=-9.67724E-10 
A10= 4.20135E-10
【０１７２】
（無限遠合焦状態での各種データ）
（表３Ａ：各種データ）
ズーム比 14.43726
広角 中間 望遠
焦点距離 9.0014 34.1094 129.9556
Ｆナンバー 3.42002 5.16673 6.63031
画角 40.8920 12.9052 3.4325
像高 6.6000 7.8000 7.4000
レンズ全長 70.9780 84.2540 104.9768
ＢＦ 0.01911 0.07727 -0.01236
d5 0.5000 15.2050 33.9883 
d11 23.3802 8.1522 1.0000 
d19 3.3488 7.0507 5.1752 
d21 7.3850 19.4629 32.2323 
d23 4.7515 2.7125 1.0000 
入射瞳位置 15.7443 44.3227 153.2295
射出瞳位置 -36.0090 -125.0505 2461.5750
前側主点位置 22.4967 69.1340 290.0460
後側主点位置 61.9766 50.1446 -24.9788
【０１７３】
（表３Ｂ：単レンズデータ）
レンズ 始面 焦点距離
1 1 -76.3174
2 2 59.6215
3 4 70.3887
4 6 -11.4205
5 8 -17.6982
6 10 21.9160
7 13 24.9526
8 15 13.5609
9 16 -9.3487
10 18 16.3389
11 20 -24.0562
12 22 26.5805
13 24 -76.2003
【０１７４】
（表３Ｃ：ズームレンズ群データ）
群 始面 焦点距離 レンズ構成長 前側主点位置 後側主点位置
1 1 57.01881 6.89000 1.43824 4.03128
2 6 -10.21128 7.61670 0.51214 1.79449
3 12 13.79533 8.86670 1.54490 3.69539
4 20 -24.05620 0.60000 0.58990 0.84493
5 22 26.58049 2.64000 2.03666 2.98162
6 24 -76.20026 2.80000 -3.12456 -2.39125
【０１７５】
（表３Ｄ：ズームレンズ群倍率）
群 始面 広角 中間 望遠
1 1 0.00000 0.00000 0.00000
2 6 -0.23782 -0.36170 -1.08074
3 12 -0.46619 -0.88270 -0.87208
4 20 1.85911 2.20786 2.62433
5 22 0.69819 0.77308 0.84031
6 24 1.09699 1.09775 1.09657
【０１７６】
（数値実施例２）
数値実施例２の撮像光学系は、図４に示した実施の形態２に対応する。数値実施例２の撮像光学系の面データを表４に、非球面データを表５に、無限遠合焦状態での各種データを表６Ａ〜表６Ｄに示す。
【０１７７】
（表４：面データ）
面番号 r d nd vd        
物面 ∞ 
1 79.09630 0.75000 1.90037 29.4 
2 38.73000 3.32000 1.59075 63.7 
3 -1766.73980 0.15000 
4 37.87980 2.67000 1.59288 63.4 
5 183.79770 可変 
6* 600.20690 0.70000 1.84702 41.2 
7* 9.73850 4.56320 
8* -17.49850 0.50000 1.77354 45.8 
9* 87.35140 0.15400 
10 32.61940 1.74000 1.94595 18.0 
11 -62.96600 可変 
12(絞り) ∞ 1.00000 
13* 12.62280 1.61000 1.85343 40.5 
14* 29.24210 0.25000 
15 8.08830 3.03000 1.49710 81.6 
16 -36.40950 0.50000 1.80612 33.3 
17 9.60950 0.76440 
18 15.27650 1.71000 1.55625 68.7 
19* -21.50980 可変 
20* 22.92530 0.60000 1.77010 49.8 
21* 10.26280 可変 
22* -92.38840 2.64000 1.53380 55.6 
23* -12.48680 可変 
24* -10.64130 1.75000 1.53380 55.6 
25* -15.95980 0.15000 
26 ∞ 0.90000 1.51680 64.2 
27 ∞ 2.18000 
28 ∞ BF 
像面 ∞ 
【０１７８】
（表５：非球面データ）
第6面
K= 0.00000E+00, A4=-3.08046E-05, A6= 1.09794E-06, A8=-1.16733E-08 
A10= 3.52112E-11 
第7面
K=-7.07767E-01, A4= 5.25522E-05, A6= 5.05807E-07, A8= 5.56733E-08 
A10=-4.40772E-10 
第8面
K= 0.00000E+00, A4= 1.61694E-05, A6= 4.64672E-07, A8= 3.71509E-09 
A10=-8.32172E-11 
第9面
K= 0.00000E+00, A4= 4.29794E-06, A6= 3.47953E-07, A8=-2.95727E-09 
A10=-9.22582E-11 
第13面
K= 0.00000E+00, A4= 1.60246E-04, A6= 2.59696E-06, A8=-3.45371E-08 
A10= 8.91632E-10 
第14面
K= 0.00000E+00, A4= 2.07279E-04, A6= 1.99945E-06, A8=-6.43416E-08 
A10= 6.03259E-10 
第19面
K= 0.00000E+00, A4= 3.04278E-04, A6= 5.15183E-06, A8= 8.87917E-08 
A10= 4.85671E-09 
第20面
K= 0.00000E+00, A4=-6.11168E-04, A6= 3.60432E-05, A8=-8.32854E-07 
A10= 3.79052E-09 
第21面
K= 0.00000E+00, A4=-6.90002E-04, A6= 4.02663E-05, A8=-1.02289E-06 
A10= 7.34110E-09 
第22面
K= 0.00000E+00, A4=-2.19898E-04, A6=-3.07757E-06, A8= 2.59417E-08 
A10= 2.24241E-10 
第23面
K=-9.09278E-01, A4= 1.05981E-05, A6=-3.11392E-06, A8= 1.71146E-08 
A10= 2.43759E-10 
第24面
K= 0.00000E+00, A4= 9.65097E-04, A6=-9.88726E-06, A8= 6.27166E-08 
A10= 1.10268E-10 
第25面
K= 0.00000E+00, A4= 4.46752E-04, A6=-5.67440E-06, A8=-5.08062E-09 
A10= 4.55234E-10
【０１７９】
（無限遠合焦状態での各種データ）
（表６Ａ：各種データ）
ズーム比 13.88428
広角 中間 望遠
焦点距離 9.0017 33.5403 124.9822
Ｆナンバー 3.41979 5.11297 6.62962
画角 40.8791 13.1238 3.5766
像高 6.6000 7.8000 7.4000
レンズ全長 71.2403 84.1787 107.9961
ＢＦ 0.00971 0.06689 0.00395
d5 0.5000 15.8269 36.8728 
d11 23.5338 7.5997 1.0000 
d19 2.7215 6.8025 5.0647 
d21 8.0263 19.4219 32.4231 
d23 4.8174 2.8292 1.0000 
入射瞳位置 15.7225 43.4496 156.6855
射出瞳位置 -34.9345 -101.5159 -768.3912
前側主点位置 22.4053 65.9156 261.3389
後側主点位置 62.2386 50.6383 -16.9860
【０１８０】
（表６Ｂ：単レンズデータ）
レンズ 始面 焦点距離
1 1 -85.0365
2 2 64.1978
3 4 79.9334
4 6 -11.6934
5 8 -18.8069
6 10 22.9184
7 13 24.9134
8 15 13.6213
9 16 -9.3859
10 18 16.3297
11 20 -24.6355
12 22 26.7404
13 24 -67.5571
【０１８１】
（表６Ｃ：ズームレンズ群データ）
群 始面 焦点距離 レンズ構成長 前側主点位置 後側主点位置
1 1 61.98287 6.89000 1.56620 4.13710
2 6 -10.64241 7.65720 0.45037 1.69002
3 12 13.75483 8.86440 1.51247 3.67233
4 20 -24.63547 0.60000 0.62661 0.88051
5 22 26.74037 2.64000 1.96757 2.90593
6 24 -67.55714 2.80000 -2.57806 -1.80992
【０１８２】
（表６Ｄ：ズームレンズ群倍率）
群 始面 広角 中間 望遠
1 1 0.00000 0.00000 0.00000
2 6 -0.22341 -0.32938 -0.94478
3 12 -0.45428 -0.88900 -0.89190
4 20 1.87024 2.18519 2.59427
5 22 0.69517 0.76776 0.83811
6 24 1.10065 1.10150 1.10056
【０１８３】
（数値実施例３）
数値実施例３の撮像光学系は、図７に示した実施の形態３に対応する。数値実施例３の撮像光学系の面データを表７に、非球面データを表８に、無限遠合焦状態での各種データを表９Ａ〜表９Ｄに示す。
【０１８４】
（表７：面データ）
面番号 r d nd vd 
物面 ∞ 
1 77.83500 0.75000 1.90117 28.3 
2 38.97590 3.32000 1.59322 63.4 
3 -1180.98660 0.15000 
4 37.78270 2.67000 1.59354 63.4 
5 178.92950 可変 
6* 5062.75990 0.70000 1.84685 41.2 
7* 10.22200 4.34430 
8 -17.79240 0.50000 1.77186 45.9 
9 56.40060 0.15420 
10 29.38310 1.74000 1.94595 18.0 
11 -71.82840 可変 
12(絞り) ∞ 1.00000 
13* 12.64820 1.61000 1.85343 40.5 
14* 28.70590 0.25000 
15 8.05230 3.03000 1.49700 81.6 
16 -34.82220 0.50000 1.80691 34.3 
17 9.64050 0.79810 
18* 16.02510 1.71000 1.55266 69.3 
19* -21.43470 可変 
20* 24.25490 0.60000 1.77010 49.8 
21* 10.75530 可変 
22* -98.76370 2.64000 1.53380 55.6 
23* -13.60120 可変 
24* -10.15890 1.75000 1.53380 55.6 
25* -13.90320 0.15000 
26 ∞ 0.90000 1.51680 64.2 
27 ∞ 2.18000 
28 ∞ BF 
像面 ∞ 
【０１８５】
（表８：非球面データ）
第6面
K= 0.00000E+00, A4=-1.66530E-05, A6= 1.02835E-06, A8=-1.17296E-08 
A10= 3.88611E-11 
第7面
K=-6.84288E-01, A4= 5.28234E-05, A6= 3.91720E-07, A8= 5.53385E-08 
A10=-6.33609E-10 
第13面
K= 0.00000E+00, A4= 1.61555E-04, A6= 2.56405E-06, A8=-3.36077E-08 
A10= 9.06802E-10 
第14面
K= 0.00000E+00, A4= 2.06339E-04, A6= 2.06506E-06, A8=-6.46020E-08 
A10= 6.52851E-10 
第18面
K= 0.00000E+00, A4=-1.20135E-07, A6=-5.13709E-10, A8=-2.83326E-11 
A10=-5.50409E-12 
第19面
K= 0.00000E+00, A4= 2.92914E-04, A6= 5.17412E-06, A8= 8.15855E-08 
A10= 4.67697E-09 
第20面
K= 0.00000E+00, A4=-6.22338E-04, A6= 3.53523E-05, A8=-8.53657E-07 
A10= 3.74814E-09 
第21面
K= 0.00000E+00, A4=-7.00283E-04, A6= 3.94650E-05, A8=-1.05220E-06 
A10= 7.66896E-09 
第22面
K= 0.00000E+00, A4=-2.32553E-04, A6=-3.55833E-06, A8= 1.82283E-08 
A10= 3.54405E-10 
第23面
K=-5.52315E-01, A4=-1.81199E-05, A6=-3.60568E-06, A8= 1.98546E-08 
A10= 2.73953E-10 
第24面
K= 0.00000E+00, A4= 9.76457E-04, A6=-9.93322E-06, A8= 6.34609E-08 
A10= 1.46443E-10 
第25面
K= 0.00000E+00, A4= 4.77887E-04, A6=-5.33137E-06, A8=-6.82304E-09 
A10= 4.27275E-10
【０１８６】
（無限遠合焦状態での各種データ）
（表９Ａ：各種データ）
ズーム比 14.73229
広角 中間 望遠
焦点距離 9.5016 36.4339 139.9810
Ｆナンバー 3.42003 5.36127 6.63016
画角 39.7843 12.3029 3.2276
像高 6.7000 7.9000 7.5000
レンズ全長 72.9673 86.5746 108.2545
ＢＦ 0.01517 0.08144 0.00071
d5 0.5000 16.3595 37.1796 
d11 24.0549 8.0898 1.0000 
d19 2.7695 7.5849 4.9492 
d21 8.6490 19.9427 32.6349 
d23 5.5321 3.0697 1.0435 
入射瞳位置 15.9372 46.1397 171.4911
射出瞳位置 -37.8861 -110.4138 -730.3713
前側主点位置 23.0568 70.5602 284.6437
後側主点位置 63.4656 50.1407 -31.7265
【０１８７】
（表９Ｂ：単レンズデータ）
レンズ 始面 焦点距離
1 1 -87.4304
2 2 63.6672
3 4 80.1318
4 6 -12.0958
5 8 -17.4720
6 10 22.2301
7 13 25.3250
8 15 13.4752
9 16 -9.3102
10 18 16.8660
11 20 -25.5879
12 22 29.2338
13 24 -84.3934
【０１８８】
（表９Ｃ：ズームレンズ群データ）
群 始面 焦点距離 レンズ構成長 前側主点位置 後側主点位置
1 1 60.42057 6.89000 1.53755 4.11249
2 6 -10.54452 7.43850 0.57541 1.88542
3 12 14.13323 8.89810 1.43273 3.60225
4 20 -25.58786 0.60000 0.62103 0.87538
5 22 29.23382 2.64000 1.97480 2.91196
6 24 -84.39337 2.80000 -3.69694 -3.00289
【０１８９】
（表９Ｄ：ズームレンズ群倍率）
群 始面 広角 中間 望遠
1 1 0.00000 0.00000 0.00000
2 6 -0.22911 -0.34958 -1.12854
3 12 -0.47319 -0.93147 -0.86723
4 20 1.90198 2.16999 2.54253
5 22 0.69662 0.77896 0.85058
6 24 1.09477 1.09556 1.09460
【０１９０】
（数値実施例４）
数値実施例４の撮像光学系は、図１０に示した実施の形態４に対応する。数値実施例４の撮像光学系の面データを表１０に、非球面データを表１１に、無限遠合焦状態での各種データを表１２Ａ〜表１２Ｄに示す。
【０１９１】
（表１０：面データ）
面データ
面番号 r d nd vd 
物面 ∞ 
1 73.15840 1.05770 1.90366 31.3 
2 38.56220 4.27170 1.59282 68.6 
3 14342.09940 0.15000 
4 38.18270 3.15090 1.59282 68.6 
5 165.54930 可変 
6* -174.30820 0.70000 1.80998 40.9 
7* 9.40530 4.70240 
8 -25.72340 0.50000 1.83400 37.3 
9 66.99810 0.16640 
10 25.52910 2.00000 1.94595 18.0 
11 -98.01450 可変 
12(絞り) ∞ 1.00000 
13* 11.96340 2.01630 1.80998 40.9 
14* 28.01790 1.47190 
15 204.17350 2.60880 1.49700 81.6 
16 -6.81790 0.30000 1.80610 33.3 
17 -20.25830 1.07940 
18* -21.31630 1.51870 1.55332 71.7 
19* -9.20340 可変 
20* 19.77290 0.60000 1.77010 49.8 
21* 10.75940 可変 
22* -54.26150 3.80790 1.53380 55.6 
23* -10.65900 可変 
24* -10.63080 1.76160 1.53380 55.6 
25* -25.33380 0.15000 
26 ∞ 0.90000 1.51680 64.2 
27 ∞ 2.18000 
28 ∞ BF 
像面 ∞ 
【０１９２】
（表１１：非球面データ）
第6面
K= 0.00000E+00, A4= 6.51393E-06, A6= 5.14509E-07, A8=-6.86804E-09 
A10= 2.42463E-11 
第7面
K=-5.71429E-01, A4= 5.21358E-05, A6= 3.72183E-07, A8= 3.76208E-08 
A10=-4.69665E-10 
第13面
K= 0.00000E+00, A4= 1.82787E-04, A6= 3.97436E-06, A8= 1.30281E-08 
A10= 4.07741E-09 
第14面
K= 0.00000E+00, A4= 2.79661E-04, A6= 4.22249E-06, A8= 2.31159E-08 
A10= 5.66638E-09 
第18面
K= 0.00000E+00, A4=-2.35915E-05, A6=-7.16537E-07, A8=-1.91199E-08 
A10=-5.37923E-09 
第19面
K= 0.00000E+00, A4= 1.13243E-04, A6= 7.12985E-08, A8=-1.26835E-08 
A10=-3.29054E-09 
第20面
K= 0.00000E+00, A4=-6.64275E-04, A6= 3.05738E-05, A8=-9.60485E-07 
A10= 1.84753E-08 
第21面
K= 0.00000E+00, A4=-7.61401E-04, A6= 3.41358E-05, A8=-1.09105E-06 
A10= 2.15502E-08 
第22面
K= 0.00000E+00, A4=-2.29250E-04, A6=-1.16816E-06, A8= 6.63863E-08 
A10=-3.57365E-10 
第23面
K=-8.23433E-01, A4= 3.71099E-06, A6= 4.80031E-08, A8= 2.50297E-08 
A10=-1.02852E-10 
第24面
K= 0.00000E+00, A4= 1.07790E-03, A6=-8.13128E-06, A8= 6.39057E-08 
A10=-2.54883E-10 
第25面
K= 0.00000E+00, A4= 6.00693E-04, A6=-5.44287E-06, A8= 1.14595E-08 
A10=-8.48471E-11
【０１９３】
（無限遠合焦状態での各種データ）
（表１２Ａ：各種データ）
ズーム比 13.32889
広角 中間 望遠
焦点距離 8.9996 32.7549 119.9549
Ｆナンバー 3.41937 5.13081 6.63113
画角 41.2186 13.5146 3.7437
像高 6.9000 7.8000 7.4000
レンズ全長 80.0193 91.5512 117.3280
ＢＦ 0.02848 0.02079 -0.00214
d5 0.7669 17.2917 37.3441 
d11 26.0974 7.6014 1.0000 
d19 5.1117 7.9921 2.5908 
d21 7.3902 19.1248 38.2741 
d23 4.5309 3.4267 2.0274 
入射瞳位置 18.1808 50.6733 175.1735
射出瞳位置 -34.1471 -68.2543 -172.9190
前側主点位置 24.8105 67.7141 211.9140
後側主点位置 71.0197 58.7963 -2.6269
【０１９４】
（表１２Ｂ：単レンズデータ）
レンズ 始面 焦点距離
1 1 -91.5677
2 2 65.2164
3 4 82.9530
4 6 -10.9986
5 8 -22.2321
6 10 21.5810
7 13 24.4046
8 15 13.3296
9 16 -12.8766
10 18 28.0195
11 20 -31.5632
12 22 24.1165
13 24 -35.8078
【０１９５】
（表１２Ｃ：ズームレンズ群データ）
群 始面 焦点距離 レンズ構成長 前側主点位置 後側主点位置
1 1 61.87849 8.63030 1.81054 5.05314
2 6 -11.79051 8.06880 -0.09369 1.04588
3 12 15.86902 9.99510 4.55868 5.66921
4 20 -31.56320 0.60000 0.76576 1.01669
5 22 24.11645 3.80790 2.99843 4.39690
6 24 -35.80780 2.81160 -0.86655 0.00320
【０１９６】
（表１２Ｄ：ズームレンズ群倍率）
群 始面 広角 中間 望遠
1 1 0.00000 0.00000 0.00000
2 6 -0.25722 -0.40223 -1.27322
3 12 -0.43319 -0.79957 -0.67485
4 20 1.65919 1.96172 2.49168
5 22 0.69002 0.73605 0.79480
6 24 1.14011 1.13989 1.13925
【０１９７】
（数値実施例５）
数値実施例５の撮像光学系は、図１３に示した実施の形態５に対応する。数値実施例５の撮像光学系の面データを表１３に、非球面データを表１４に、無限遠合焦状態での各種データを表１５Ａ〜表１５Ｄに示す。
【０１９８】
（表１３：面データ）
面データ
面番号 r d nd vd 
物面 ∞ 
1 99.28220 0.75080 1.90366 31.3 
2 43.74470 3.44600 1.59282 68.6 
3 -274.93770 0.15000 
4 38.27760 2.53100 1.59201 67.0 
5 157.98190 可変 
6* -741.63460 0.74670 1.82080 42.7 
7* 10.55760 4.77970 
8* -17.65730 0.51100 1.80139 45.4 
9* 62.73420 0.17880 
10 33.43230 1.85760 1.94595 18.0 
11 -57.54740 可変 
12(絞り) ∞ 1.00000 
13* 12.84790 1.72310 1.85343 40.5 
14* 29.19430 0.25000 
15 8.11310 3.08920 1.49700 81.6 
16 -34.78580 0.50230 1.80610 33.3 
17 9.78940 0.88670 
18 14.79880 1.75620 1.55332 71.7 
19* -22.81520 可変 
20* 25.79860 0.62080 1.77010 49.8 
21* 10.87190 可変 
22* -31.23830 1.60360 1.53380 55.6 
23* -14.26280 0.32210 
24* -36.08110 3.08690 1.51760 63.5 
25* -14.29030 可変 
26* -10.31360 1.19750 1.53380 55.6 
27* -20.73330 0.15000 
28 ∞ 0.90000 1.51680 64.2 
29 ∞ 2.18000 
30 ∞ BF 
像面 ∞ 
【０１９９】
（表１４：非球面データ）
第6面
K= 0.00000E+00, A4=-2.57973E-06, A6= 8.91866E-07, A8=-1.00448E-08 
A10= 3.23802E-11 
第7面
K=-6.58868E-01, A4= 5.38049E-05, A6= 4.76256E-07, A8= 4.24774E-08 
A10=-4.18304E-10 
第8面
K= 0.00000E+00, A4= 1.46413E-06, A6=-8.88943E-09, A8= 7.84850E-10 
A10= 1.50188E-11 
第9面
K= 0.00000E+00, A4=-5.79102E-07, A6= 2.38073E-08, A8= 4.92385E-11 
A10= 4.25699E-12 
第13面
K= 0.00000E+00, A4= 1.54376E-04, A6= 2.16123E-06, A8=-3.89984E-08 
A10= 1.21062E-09 
第14面
K= 0.00000E+00, A4= 1.97550E-04, A6= 1.58748E-06, A8=-6.77439E-08 
A10= 1.24389E-09 
第19面
K= 0.00000E+00, A4= 3.08457E-04, A6= 5.04205E-06, A8= 6.65733E-08 
A10= 3.49950E-09 
第20面
K= 0.00000E+00, A4=-5.99380E-04, A6= 3.36483E-05, A8=-9.27782E-07 
A10= 1.07208E-08 
第21面
K= 0.00000E+00, A4=-6.79673E-04, A6= 3.74781E-05, A8=-1.11626E-06 
A10= 1.50347E-08 
第22面
K= 0.00000E+00, A4=-3.08934E-04, A6=-2.94552E-06, A8= 4.39659E-08 
A10= 3.43312E-11 
第23面
K=-3.03213E-01, A4=-7.62421E-05, A6=-1.36649E-06, A8= 1.12243E-08 
A10= 1.43283E-10 
第24面
K= 0.00000E+00, A4= 8.21707E-07, A6= 7.15237E-09, A8= 4.27519E-12 
A10=-2.13766E-13 
第25面
K= 0.00000E+00, A4=-5.92655E-07, A6= 1.61997E-09, A8= 9.03453E-11 
A10= 1.39774E-12 
第26面
K= 0.00000E+00, A4= 1.09675E-03, A6=-8.07165E-06, A8= 6.71826E-08 
A10=-3.16780E-10 
第27面
K= 0.00000E+00, A4= 3.66170E-04, A6=-4.75661E-07, A8= 1.76137E-08 
A10=-3.78046E-10
【０２００】
（無限遠合焦状態での各種データ）
（表１５Ａ：各種データ）
ズーム比 14.62796
広角 中間 望遠
焦点距離 8.9844 34.2679 131.4231
Ｆナンバー 3.40823 4.75138 6.59169
画角 41.2940 12.9652 3.4630
像高 6.7000 7.9000 7.5000
レンズ全長 73.6626 87.3579 113.5239
ＢＦ -0.12870 -0.12147 -0.14851
d5 0.7399 17.5265 37.7219 
d11 23.5048 7.3413 1.0629 
d19 1.9920 6.9485 4.5764 
d21 7.7784 17.9238 34.8204 
d25 5.5562 3.5193 1.2708 
入射瞳位置 16.3222 48.0516 161.8223
射出瞳位置 -31.2472 -70.6831 -270.5028
前側主点位置 22.7126 65.6775 229.3587
後側主点位置 64.6782 53.0900 -17.8992
【０２０１】
（表１５Ｂ：単レンズデータ）
レンズ 始面 焦点距離
1 1 -87.0968
2 2 63.9186
3 4 84.6660
4 6 -12.6764
5 8 -17.1455
6 10 22.5795
7 13 25.6424
8 15 13.5612
9 16 -9.4297
10 18 16.4972
11 20 -24.8497
12 22 47.6037
13 24 43.6076
14 26 -40.0471
【０２０２】
（表１５Ｃ：ズームレンズ群データ）
群 始面 焦点距離 レンズ構成長 前側主点位置 後側主点位置
1 1 62.91170 6.87780 1.81400 4.38774
2 6 -10.75672 8.07380 0.67541 2.05697
3 12 13.98388 9.20750 1.63793 3.81041
4 20 -24.84968 0.62080 0.61733 0.88095
5 22 23.44920 5.01260 3.30619 4.96274
6 26 -40.04708 2.24750 -0.80499 -0.11411
【０２０３】
（表１５Ｄ：ズームレンズ群倍率）
群 始面 広角 中間 望遠
1 1 0.00000 0.00000 0.00000
2 6 -0.22294 -0.34188 -0.95466
3 12 -0.46105 -0.90531 -0.88733
4 20 1.99998 2.22490 2.74634
5 22 0.62575 0.71236 0.80918
6 26 1.11019 1.11037 1.10970
【０２０４】
（条件の対応値）
以下、条件（１）〜条件（４）の対応値を表１に示す。
【０２０５】
【表１】
0006664068.tif 000003
【産業上の利用可能性】
【０２０６】
本開示に係る撮像光学系は、デジタルスチルカメラ、交換レンズ式デジタルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０２０７】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ａ      開口絞り
Ｐ      平行平板
Ｓ      像面
１０    ズームレンズ系
２０    撮像素子
３０    モニタ
４０    筐体
５０    デジタルカメラ
【図１】
0006664068.tif 000004
【図２】
0006664068.tif 000005
【図３】
0006664068.tif 000006
【図４】
0006664068.tif 000007
【図５】
0006664068.tif 000008
【図６】
0006664068.tif 000009
【図７】
0006664068.tif 000010
【図８】
0006664068.tif 000011
【図９】
0006664068.tif 000012
【図１０】
0006664068.tif 000013
【図１１】
0006664068.tif 000014
【図１２】
0006664068.tif 000015
【図１３】
0006664068.tif 000016
【図１４】
0006664068.tif 000017
【図１５】
0006664068.tif 000018
【図１６】
0006664068.tif 000019